(57)【要約】無線伝送装置の間に設定される無線回線もしくはノード装置との間に設定される通信回線のいずれかに障害が発生した場合においても、通信を継続することができる無線伝送装置を提供することを目的とする。本発明にかかる無線伝送装置（１０）は、無線回線を介して対向する無線伝送装置と通信を行う無線通信部（１２）と、対向する通信装置（３０）において設定されたリンクアグリゲーショングループに属する複数の通信回線のうち第１の通信回線を介して通信装置（３０）と通信を行うリンクアグリゲーション通信部（１１）と、無線回線及び第１の通信回線のうち少なくとも一方に発生した通信障害を検出する障害検出部（１３）と、障害検出部（１３）によって通信障害が検出された場合に、無線通信部（１２）及びリンクアグリゲーション通信部（１１）における通信を停止させる通信制御部（１４）と、を備えるものである。
2014125761.tif 000002
【特許請求の範囲】
【請求項１】
無線回線を介して対向する無線伝送装置と通信を行う無線通信手段と、
対向する通信装置において設定されたリンクアグリゲーショングループに属する複数の通信回線のうち第１の通信回線を介して前記通信装置と通信を行うリンクアグリゲーション通信手段と、
前記無線回線及び前記第１の通信回線のうち少なくとも一方に発生した通信障害を検出する障害検出手段と、
前記障害検出手段によって通信障害が検出された場合に、前記無線通信手段及び前記リンクアグリゲーション通信手段における通信を停止させる通信制御手段と、を備える無線伝送装置。
【請求項２】
前記障害検出手段は、
前記無線回線を介して受信した信号の受信電力が予め定められた閾値を超えているか否かに応じて前記通信障害を検出する、請求項１に記載の無線伝送装置。
【請求項３】
前記障害検出手段は、
前記第１の通信回線のリンク状態及び前記対向する通信装置との間に伝送される正常性確認用データの少なくとも一方に応じて前記通信障害を検出する、請求項１又は２に記載の無線伝送装置。
【請求項４】
前記障害検出手段において前記通信障害が検出された場合に、予備用無線伝送装置から現用無線伝送装置に切り替えられる切替対象無線伝送装置へ通信障害を検出したことを通知する切替制御手段、をさらに備える請求項１乃至３のいずれか１項に記載の無線伝送装置。
【請求項５】
前記切替制御手段は、
前記切替対象無線伝送装置が正常に動作している場合に、前記切替対象無線伝送装置へ前記通信障害を検出したことを通知する、請求項４に記載の無線伝送装置。
【請求項６】
予備用無線伝送装置として動作している場合に、
前記通信制御手段は、
前記対向する通信装置から前記リンクアグリゲーション通信手段へ主信号が送信されると、前記無線通信手段を起動する、請求項１乃至３のいずれか１項に記載の無線伝送装置。
【請求項７】
第１の無線伝送装置と、
無線回線を介して対向する前記第１の無線伝送装置と通信する第２の無線伝送装置と、
複数の通信回線を用いてリンクアグリゲーショングループを設定し、前記複数の通信回線に含まれる第１の通信回線を介して前記第１の無線伝送装置と通信する通信装置と、を備え、
前記第１の無線伝送装置は、
前記無線回線及び前記第１の通信回線のうち少なくとも一方に発生した通信障害を検出し、前記通信障害を検出した場合に、前記無線回線及び前記第１の通信回線を介した通信を停止する、通信システム。
【請求項８】
前記第１の無線伝送装置は、
前記無線回線を介して受信した信号の受信電力が予め定められた閾値を超えているか否かに応じて前記通信障害を検出する、請求項７に記載の通信システム。
【請求項９】
前記第１の無線伝送装置は、
前記第１の通信回線のリンク状態及び前記対向する通信装置との間に伝送される正常性確認用データの少なくとも一方に応じて前記通信障害を検出する、請求項７又は８に記載の通信システム。
【請求項１０】
前記第１の無線伝送装置は、
前記通信障害を検出した場合、予備用無線伝送装置から現用無線伝送装置に切り替えられる切替対象無線伝送装置へ通信障害を検出したことを通知する、請求項７乃至９のいずれか１項に記載の通信システム。
【請求項１１】
前記第１の無線伝送装置は、
前記切替対象無線伝送装置が正常に動作している場合に、前記切替対象無線伝送装置へ前記通信障害を検出したことを通知する、請求項１０に記載の通信システム。
【請求項１２】
前記第１の無線伝送装置が予備用無線伝送装置として動作している場合に、
前記第１の無線伝送装置は、
前記通信装置から主信号が送信されると、前記第２の無線伝送装置と無線回線を介して無線通信を行う無線通信手段を起動する、請求項７乃至９のいずれか１項に記載の通信システム。
【請求項１３】
無線回線を介して対向する無線伝送装置と通信を行う無線通信手段と、対向する通信装置において設定されたリンクアグリゲーショングループに属する複数の通信回線のうち第１の通信回線を介して前記通信装置と通信を行うリンクアグリゲーション通信手段のうち少なくとも一方に発生した通信障害を検出し、
前記通信障害が検出された場合に、通信制御手段を用いて前記無線通信手段及び前記リンクアグリゲーション通信手段における通信を停止させる、通信障害制御方法。
【発明の詳細な説明】
【技術分野】
【０００１】
本発明は無線伝送装置、通信システム及び通信障害制御方法に関し、特に通信障害が発生した場合に経路の迂回処理を行う無線伝送装置、通信システム及び通信障害制御方法に関する。
【背景技術】
【０００２】
サーバ装置間もしくは基地局間等、通信ネットワーク内におけるノード装置間の通信に、無線伝送路が多く用いられている。ノード装置間の通信に無線伝送路が用いられることによって、有線ケーブルの敷設コストを削減することができる。ノード装置間の通信に無線伝送路を用いる場合、ノード装置間に２つの無線伝送装置が対向する位置に配置される。トラヒック増加に伴う基地局数の増加等によって、通信ネットワーク内に配置される無線伝送装置も増加している。ここで、無線伝送装置を設置する面積の削減等を実現するために、無線伝送装置は、小型化されることが望まれている。さらに無線伝送装置の小型化が望まれる一方で、トラヒックを保護するために、無線伝送路もしくは無線伝送装置の冗長化も必要とされる。無線伝送装置を小型化する場合、無線伝送装置内の回路もしくは部品等を二重化することは困難となる。このような場合、無線伝送装置自体を２台設置する等して無線伝送路の二重化を実現させる。【０００３】
例えば無線伝送路の二重化は、１台のノード装置と２台の無線伝送装置との間を光Ｙケーブルを用いて接続することによって簡易に実現される。しかし、Ｙケーブルの性質上、ノード装置が電気インタフェースの場合にはＹケーブルを用いることができない。【０００４】
そこで、１台のノード装置もしくはノード装置に接続されているスイッチ装置等と、２台の無線伝送装置との間の２つの通信回線にリンクアグリゲーションを適用して二重化する構成が用いられている。【０００５】
特許文献１には、送信側無線通信装置と受信側無線通信装置との間の複数の無線回線にリンクアグリゲーションを適用している構成が開示されている。また、特許文献２も、複数の無線回線にリンクアグリゲーションを適用している多重無線装置の構成例が開示されている。
【先行技術文献】
【特許文献】
【０００６】
【特許文献１】特開２０１２−１６５０３７号公報
【特許文献２】特開２０１２−１２４５９６号公報
【発明の概要】
【発明が解決しようとする課題】
【０００７】
特許文献１及び２の無線通信装置は、リンクアグリゲーションが適用されている複数の無線回線のうち１つの無線回線に障害が発生した場合、障害が発生した無線回線の使用を停止するようにしてリンクアグリゲーションの設定を変更する。しかし、特許文献１及び２には、同一装置内における複数の無線回線にリンクアグリゲーションを適用した場合の構成が開示されているが、複数装置にまたがってリンクアグリゲーションを適用する場合の構成は開示されていない。ここで、例えば、ノード装置と無線伝送装置とが１対Ｎ（Ｎは２以上の整数）であり、ノード装置と複数の無線伝送装置間における複数の通信回線にリンクアグリゲーションを適用し、さらに無線伝送装置は、対向する無線伝送装置との間においては無線回線を介して通信を行っている場合について説明する。【０００８】
このような構成において、無線伝送装置は、リンクアグリゲーションが適用されている通信回線に障害が発生した場合、特許文献１及び２のようにリンクアグリゲーションの設定を変更して障害が発生した通信回線を停止したとしても、無線回線側は正常に動作しているため、対向する無線伝送装置からデータが送信される。このような場合、無線伝送装置は、対向する無線伝送装置から送信されるデータをノード装置へ送信することができないという問題が生じる。また、無線伝送装置は、無線回線に障害が発生した場合に、リンクアグリゲーションを設定した通信回線には障害が発生していないため、リンクアグリゲーションの設定を変更しない。そのため、無線伝送装置は、ノード装置から送信されたデータを対向する無線伝送装置へ送信することができないという問題が生じる。【０００９】
本発明の目的は、上述した課題を解決する無線伝送装置、通信システム及び通信障害制御方法を提供することにある。
【課題を解決するための手段】
【００１０】
本発明の第１の態様にかかる無線伝送装置は、無線回線を介して対向する無線伝送装置と通信を行う無線通信部と、対向する通信装置において設定されたリンクアグリゲーショングループに属する複数の通信回線のうち第１の通信回線を介して前記通信装置と通信を行うリンクアグリゲーション通信部と、前記無線回線及び前記第１の通信回線のうち少なくとも一方に発生した通信障害を検出する障害検出部と、前記障害検出部によって通信障害が検出された場合に、前記無線通信部及び前記リンクアグリゲーション通信部における通信を停止させる通信制御部と、を備えるものである。【００１１】
本発明の第２の態様にかかる通信システムは、第１の無線伝送装置と、前記第１の無線伝送装置と無線回線を介して通信する第２の無線伝送装置と、複数の通信回線を用いてリンクアグリゲーショングループを設定し、前記複数の通信回線に含まれる第１の通信回線を介して前記第１の無線伝送装置と通信する通信装置と、を備え、前記第１の無線伝送装置は、前記無線回線及び前記第１の通信回線のうち少なくとも一方に発生した通信障害を検出し、前記通信障害を検出した場合に、前記無線回線及び前記第１の通信回線を介した通信を停止するものである。【００１２】
本発明の第３の態様にかかる通信障害制御方法は、無線回線を介して対向する無線伝送装置と通信を行う無線通信部と、対向する通信装置において設定されたリンクアグリゲーショングループに属する複数の通信回線のうち第１の通信回線を介して前記通信装置と通信を行うリンクアグリゲーション通信部のうち少なくとも一方に発生した通信障害を検出し、前記通信障害が検出された場合に、通信制御部によって前記無線通信部及び前記リンクアグリゲーション通信部における通信を停止させるものである。
【発明の効果】
【００１３】
本発明により、無線伝送装置の間に設定される無線回線もしくはノード装置との間に設定される通信回線のいずれかに障害が発生した場合においても、通信を継続することができる無線伝送装置、通信システム及び通信障害制御方法を提供することを目的とする。
【図面の簡単な説明】
【００１４】
【図１】実施の形態１にかかる通信システムの構成図である。
【図２】実施の形態２にかかる通信システムの構成図である。
【図３】実施の形態２にかかる通信システムの構成図である。
【図４】実施の形態２にかかる現用無線伝送装置における障害検出時の処理の流れを説明する図である。
【図５】実施の形態２にかかる予備無線伝送装置が現用装置として動作する際の処理の流れを説明する図である。
【図６】実施の形態３にかかる通信システムの構成図である。
【図７】実施の形態３にかかる通信システムの構成図である。
【図８】実施の形態３にかかる現用無線伝送装置における障害検出時の処理の流れを説明する図である。
【図９】実施の形態３にかかる予備無線伝送装置が現用装置として動作する際の処理の流れを説明する図である。
【図１０】実施の形態４にかかる通信システムの構成図である。
【発明を実施するための形態】
【００１５】
（実施の形態１）
以下、図面を参照して本発明の実施の形態について説明する。図１を用いて本発明の実施の形態１にかかる通信システムの構成例について説明する。図１の通信システムは、無線伝送装置１０、無線伝送装置２０及び通信装置３０を有している。
【００１６】
通信装置３０は、サーバ装置、基地局、交換局もしくは移動通信ネットワーク内のコアネットワーク装置等であってもよい。通信装置３０及び他の通信装置間におけるデータを中継するために、無線伝送装置１０及び無線伝送装置２０は、通信装置３０及び他の通信装置の間に配置されている。また、無線伝送装置１０及び無線伝送装置２０は、無線回線を介して対向するように配置される。
【００１７】
無線伝送装置１０は、対向して配置された無線伝送装置２０との間において無線回線を介してデータ伝送を行う。無線伝送装置１０は、数ＧＨｚ等の高周波帯域を用いて無線伝送装置２０と無線通信を行う装置であってもよい。さらに、無線伝送装置１０は、通信装置３０と通信を行う。無線伝送装置１０と通信装置３０との間の通信回線は、有線回線であってもよく、無線回線であってもよい。以下においては、無線伝送装置１０及び無線伝送装置２０は同様の構成を有するため、無線伝送装置１０の構成例について説明し、無線伝送装置２０の構成例の説明を省略する。
【００１８】
無線伝送装置１０は、リンクアグリゲーション通信部１１、無線通信部１２、障害検出部１３及び通信制御部１４を有している。無線通信部１２は、無線回線を介して対向する無線伝送装置２０と通信を行う。
【００１９】
リンクアグリゲーション通信部１１は、対向する通信装置３０において設定されたリンクアグリゲーショングループに属する複数の通信回線のうちの一つの通信回線を介して通信装置３０と通信を行う。通信装置３０は、複数の物理通信回線を束ねて一つの論理通信回線として扱うリンクアグリゲーション機能を有する。また、ここでは、複数の物理通信回線を束ねた一つの論理通信回線をリンクアグリゲーショングループと称する。通信装置３０は、無線伝送装置１０以外にも複数の無線伝送装置と物理通信回線を介して接続されている。つまり、通信装置３０は、接続される無線伝送装置が異なる複数の物理通信回線を束ねてリンクアグリゲーショングループを設定している。
【００２０】
本図においては、通信装置３０と無線伝送装置１０とは、一つの物理通信回線を介して接続されているが、同一のリンクアグリゲーショングループに属する二つ以上の物理回線を介して接続されてもよい。
【００２１】
障害検出部１３は、無線伝送装置２０との間に設定された無線回線及び通信装置３０との間に設定された通信回線のうち少なくとも一方に発生した通信障害を検出する。無線回線における通信障害は、無線伝送装置１０及び２０の間に発生するフェージングの影響により予め定められた値よりも受信電力が低下する事象を含む。さらに、無線回線における通信障害は、無線通信部１２の故障もしくは無線伝送装置２０の故障等によって無線伝送装置１０及び無線伝送装置２０の間の通信ができなくなる事象も含む。
【００２２】
通信装置３０との間に無線回線が設定された場合、通信回線における通信障害は、無線伝送装置１０及び通信装置３０の間に発生するフェージングの影響により予め定められた値よりも受信電力が低下する事象を含む。さらに、通信回線における通信障害は、リンクアグリゲーション通信部１１の故障もしくは通信装置３０の故障等によって無線伝送装置１０及び通信装置３０の間の通信ができなくなる事象も含む。
【００２３】
通信装置３０との間に有線回線が設定された場合、通信回線における通信障害は、リンクアグリゲーション通信部１１の故障もしくは通信装置３０の故障等によって無線伝送装置１０及び通信装置３０の間の通信ができなくなる事象を含む（例えば、リンクダウンとなる事象）。さらに、通信回線における通信障害は、有線ケーブルの切断等によって無線伝送装置１０及び通信装置３０の間の通信ができなくなる事象も含む。
【００２４】
通信制御部１４は、障害検出部１３によって通信障害が検出された場合、無線通信部１２及びリンクアグリゲーション通信部１１における通信を停止させる。通信制御部１４は、無線通信部１２及びリンクアグリゲーション通信部１１を動作させるために必要な電源の供給を停止することによって通信を停止させてもよい。もしくは、通信制御部１４は、通信装置３０との間の通信回線もしくは無線伝送装置２０との間の無線回線が設定されているポートを閉塞状態にすることによって通信を停止させてもよい。
【００２５】
以上説明したように、通信制御部１４は、障害検出部１３において通信障害が検出された場合、無線通信部１２及びリンクアグリゲーション通信部１１における通信を停止させる。通信制御部１４が、無線通信部１２における通信を停止させることによって、無線伝送装置１０に対向する無線伝送装置２０は、例えば無線伝送装置１０の予備機として用いられる他の無線伝送装置へデータを送信する。さらに、通信制御部１４がリンクアグリゲーション通信部１１における通信を停止させることによって、通信装置３０は、無線伝送装置１０を宛先とするデータを、同一のリンクアグリゲーショングループに属する他の通信回線を介して無線伝送装置１０の予備機として用いられる他の無線伝送装置へデータを送信する。
【００２６】
このようにして、無線伝送装置１０は、無線伝送装置２０との間の無線回線もしくは通信装置３０との間の通信回線のいずれかの通信障害を検出した場合、無線伝送装置１０を経由するデータを、無線伝送装置１０を経由しないように他の伝送路へ迂回させることができる。
【００２７】
言い換えると、例えば障害検出部１３が、無線伝送装置２０との間の無線回線における通信障害を検出した場合に、通信制御部１４は、無線通信部１２のみならずリンクアグリゲーション通信部１１における通信も停止させることができる。さらに、障害検出部１３が、通信装置３０との間の通信回線における通信障害を検出した場合に、通信制御部１４は、リンクアグリゲーション通信部１１のみならず無線通信部１２における通信も停止させることができる。このようにして、障害検出部１３及び通信制御部１４は、リンクアグリゲーション通信部１１及び無線通信部１２を連携させて制御することができる。これによって、無線伝送装置２０との間の無線回線もしくは通信装置３０との間の通信回線のいずれかに通信障害が発生した場合においても、通信装置間においてデータ通信ができなくなる状態を回避し、通信を継続することができる。
【００２８】
（実施の形態２）
続いて、図２を用いて本発明の実施の形態２にかかる通信システムの構成例について説明する。図２の通信システムは、無線伝送装置システム５０、無線伝送装置システム６０及びＬ２ＳＷ（Layer2 Switch）３１を有している。Ｌ２ＳＷ３１は、通信装置３０の一例である。
【００２９】
無線伝送装置システム５０及び無線伝送装置システム６０は、同様の構成を有するため、以下においては無線伝送装置システム５０の構成例について説明し、無線伝送装置システム６０の詳細な説明を省略する。
【００３０】
無線伝送装置システム５０は、現用無線伝送装置５１、予備無線伝送装置５３及びハイブリッド装置５５を有している。現用無線伝送装置５１は、現在稼働している無線伝送装置である。これに対して、予備無線伝送装置５３は、現用無線伝送装置５１に故障が発生した場合に、現用無線伝送装置５１のかわりに用いられる無線伝送装置である。現用無線伝送装置５１及び予備無線伝送装置５３は、無線伝送装置１０と同様の構成である。
【００３１】
Ｌ２ＳＷ３１は、現用無線伝送装置５１との間において物理回線を設定し、さらに、予備無線伝送装置５３との間においても物理回線を設定している。さらに、Ｌ２ＳＷ３１は、現用無線伝送装置５１及び予備無線伝送装置５３との間にそれぞれ設定している物理回線を束ねて一つのリンクアグリゲーショングループを設定している。
【００３２】
Ｌ２ＳＷ３１は、複数の物理回線を束ねて一つのリンクアグリゲーショングループを設定している場合、通常時には現用無線伝送装置５１へデータを送信し、Ｌ２ＳＷ３１と現用無線伝送装置５１との間に通信障害が発生した場合に、リンクアグリゲーション機能を用いて、データ送信先を予備無線伝送装置５３へ切り替えてもよい。
【００３３】
もしくは、Ｌ２ＳＷ３１は、通常時に現用無線伝送装置５１及び予備無線伝送装置５３へデータを送信し、予備無線伝送装置５３は、予備装置として動作している間に受信したデータを廃棄するようにしてもよい。つまり、現用無線伝送装置５１及び予備無線伝送装置５３は、現用装置として稼働している場合にＬ２ＳＷ３１から受信したデータを無線伝送装置システム６０へ送信してもよい。
【００３４】
ここで、Ｌ２ＳＷ３１がリンクアグリゲーション機能を有さない場合、Ｌ２ＳＷ３１と現用無線伝送装置５１との間に通信障害が発生すると、Ｌ２ＳＷ３１は、ＭＡＣアドレス管理テーブルを更新することにより、データの送信先を予備無線伝送装置５３へ切り替えることができる。一般的に、Ｌ２ＳＷが予備無線伝送装置５３と接続されているポートからパケットを受信していない場合、前回ＭＡＣアドレス管理テーブルの学習を行ってから、設定時間（例えば３００秒）の間は、現用無線伝送装置５１と接続されているポートへパケットを送出し続ける。Ｌ２ＳＷは、設定時間が経過した後に、全ポートへパケットを送出し、新たにＭＡＣアドレス管理テーブルを更新する。そのため、ＭＡＣアドレス管理テーブルを更新するためには、最大で設定時間に設定された時間（数十秒〜数百秒程度）がかかる。これに対して、Ｌ２ＳＷ３１がリンクアグリゲーション機能を用いてデータの送信先を現用無線伝送装置５１から予備無線伝送装置５３へ切り替える場合、現用無線伝送装置５１及び予備無線伝送装置５３のそれぞれと接続されている物理通信回線は同一のリンクアグリゲーショングループに属し、同一の論理通信回線として設定されている。そのため、Ｌ２ＳＷ３１は、現用無線伝送装置５１との間に通信障害が発生した場合、同一のリンクアグリゲーショングループに属する他の物理通信回線に切り替えることによって、数秒程度で予備無線伝送装置５３の通信回線へ切り替えることができる。
【００３５】
ハイブリッド装置５５は、現用無線伝送装置５１及び予備無線伝送装置５３を有する無線伝送装置システム５０と、無線伝送装置システム６０との間の無線回線を１回線として通信を行うために用いられる装置である。もしくは、ハイブリッド装置５５は、無線伝送装置システム５０と無線伝送装置システム６０との間において、送信回線として１回線、受信回線として１回線となるように無線回線を設定してもよい。ここでは、無線伝送装置システム５０から無線伝送装置システム６０へデータを送信する際に用いる回線を送信回線とし、無線伝送装置システム５０が、無線伝送装置システム６０からデータを受信する際に用いる回線を受信回線とする。
【００３６】
ハイブリッド装置５５を用いることにより、無線伝送装置システム５０及び無線伝送装置システム６０の間に用いられる無線回線を減少させることができるため、使用する無線周波数も減少させることができる。
【００３７】
無線伝送装置システム５０は、現用無線伝送装置５１のＬ２ＳＷ３１側の通信回線もしくは無線伝送装置システム６０側の無線回線の少なくとも一方に通信障害が発生した場合、現用無線伝送装置５１のＬ２ＳＷ３１側の通信回線及び無線伝送装置システム６０側の無線回線における通信を停止する。これによって、無線伝送装置システム５０は、現用無線伝送装置５１を介して中継されていたデータが予備無線伝送装置５３を介して中継されるようにデータの伝送経路を変更することができる。
【００３８】
続いて、図３を用いて無線伝送装置システム５０の詳細な構成例について説明する。無線伝送装置システム５０内の現用無線伝送装置５１は、送信部６１及び受信部６２を有している。さらに、予備無線伝送装置５３も、送信部６３及び受信部６４を有している。現用無線伝送装置５１及び予備無線伝送装置５３において、送信とは、Ｌ２ＳＷ３１から送信されたデータを、無線伝送装置システム６０へ送信することを示している。現用無線伝送装置５１及び予備無線伝送装置５３において、受信とは、無線伝送装置システム６０から送信されたデータをＬ２ＳＷ３１へ送信することを示している。
【００３９】
送信部６１及び受信部６２は、それぞれ図１に示すリンクアグリゲーション通信部１１、無線通信部１２、障害検出部１３及び通信制御部１４を有してもよい。もしくは、送信部６１及び受信部６２は、リンクアグリゲーション通信部１１、無線通信部１２、障害検出部１３及び通信制御部１４を共有してもよい。予備無線伝送装置５３における送信部６３及び受信部６４についても同様である。
【００４０】
ハイブリッド装置５５は、送信用ＨＹＢ（ハイブリッド）部６５及び受信用ＨＹＢ部６６を有している。送信用ＨＹＢ部６５は、送信部６１及び送信部６３から送信されたデータを無線回線を介して無線伝送装置システム６０へ送信する。受信用ＨＹＢ部６６は、無線伝送装置システム６０から無線回線を介して送信されたデータを受信部６２及び受信部６４へ送信する。ここで、受信用ＨＹＢ部６６は、無線伝送装置システム６０から送信されたデータを受信部６２へ送信し、さらに無線伝送装置システム６０から送信されたデータを複製し、複製したデータを受信部６４へ送信してもよい。受信部６４は、予備無線伝送装置５３が予備装置として動作している場合、受信用ＨＹＢ部６６から送信されたデータを廃棄してもよい。この場合、Ｌ２ＳＷ３１は、現状稼働している現用無線伝送装置５１の受信部６２からデータを受信する。
【００４１】
本図においては、異なる周波数帯域を用いて、送信用の無線回線及び受信用の無線回線を設ける構成（ＦＤＤ無線伝送方式）について説明している。ここで、送信用ＨＹＢ部６５及び受信用ＨＹＢ部６６を同一の回路等を用いて、無線伝送装置システム６０との間に送信用の無線回線及び受信用の無線回線として１回線のみを設けるように構成（ＴＤＤ無線伝送方式）にしてもよい。
【００４２】
続いて、図４を用いて本発明の実施の形態２にかかる現用無線伝送装置５１における障害検出時の処理の流れについて説明する。はじめに、障害検出部１３は、Ｌ２ＳＷ３１との間に設定された通信回線もしくは無線伝送装置システム６０との間に設定された無線回線のいずれか一方に発生した障害を検出する（Ｓ１１）。
【００４３】
障害検出部１３は、例えば、無線伝送装置システム６０から送信されたデータの受信電力が、予め定められた値よりも小さい場合に、通信障害が発生したことを検出してもよい。もしくは、障害検出部１３は、Ｌ２ＳＷ３１及び無線伝送装置システム６０と、通信回線の正常性を確認するための信号、例えばヘルスチェック信号、を送受信していてもよい。この場合、障害検出部１３は、通信相手の装置から、正常性を確認するための信号を受信することができない場合に、通信障害が発生したことを検出してもよい。
【００４４】
次に、通信制御部１４は、障害検出部１３において障害が検出された場合、リンクアグリゲーション通信部１１及び無線通信部１２におけるデータ伝送を停止させる（Ｓ１２）。データ伝送の停止とは、リンクアグリゲーション通信部１１及び無線通信部１２に対する電源の供給を停止させてもよく、リンクアグリゲーション通信部１１及び無線通信部１２において対向する装置との間に設定した回線を閉塞状態としてもよい。
【００４５】
続いて、図５を用いて、予備無線伝送装置５３が現用装置として動作する際の処理の流れについて説明する。予備無線伝送装置５３は、予備装置として動作する間、無線通信部１２を停止状態としていてもよい。このように予備無線伝送装置５３が予備装置として動作する場合に、必要のない回路もしくは構成要素等を停止させることによって、消費電力の低下を実現することができる。
【００４６】
現用無線伝送装置５１において障害を検出し、リンクアグリゲーション通信部１１及び無線通信部１２を停止状態とした場合、Ｌ２ＳＷ３１は、現用無線伝送装置５１を宛先として送信していたデータを予備無線伝送装置５３を宛先として送信する。つまり、Ｌ２ＳＷ３１は、現用無線伝送装置５１との間の通信回線に障害が発生したことを検出し、現用無線伝送装置５１を宛先として送信していたデータを、同一のリンクアグリゲーショングループに属する他の通信回線を介して送信する。このような場合、はじめに、予備無線伝送装置５３のリンクアグリゲーション通信部１１は、Ｌ２ＳＷ３１から、主信号を受信する（Ｓ２１）。主信号とは、例えば、映像データ、動画データ、音声データもしくは文字データ等であってもよい。
【００４７】
次に、リンクアグリゲーション通信部１１は、主信号を受信したことを通信制御部１４へ通知する（Ｓ２２）。
【００４８】
次に、通信制御部１４は、リンクアグリゲーション通信部１１において主信号を受信したことを通知されたことを契機として、無線通信部１２の停止状態を解除し無線通信部１２を起動する（Ｓ２３）。これによって、以降無線伝送装置システム６０との間の無線伝送は、予備無線伝送装置５３の無線通信部１２を用いて行われる。
【００４９】
ステップＳ２２において、リンクアグリゲーション通信部１１は、通信制御部１４へ主信号を受信したことを通知するとともに、受信した主信号を予備無線伝送装置５３内のデータ格納部等へ一時的に格納してもよい。この場合、無線通信部１２は、通信制御部１４によって起動された場合、データ格納部に一時的に格納されている主信号を取り出し、取り出した主信号を無線伝送装置システム６０へ送信する。
【００５０】
予備無線伝送装置５３は、図５における処理を実行することにより、Ｌ２ＳＷ３１から主信号を受信したタイミングにおいて無線通信部１２を起動し、現用装置として動作することができる。
【００５１】
以上説明したように、本発明の実施の形態２にかかる無線伝送装置システム５０を用いることにより、現用無線伝送装置５１は、無線回線側もしくはＬ２ＳＷ３１との間の通信回線側のいずれかに障害が起きた場合においても、リンクアグリゲーション通信部１１及び無線通信部１２を停止する。これによって、現用無線伝送装置５１を経由していたデータは、予備無線伝送装置５３へ迂回して中継されるため、現用無線伝送装置５１の障害によるデータロスを回避することができる。
【００５２】
さらに、ハイブリッド装置５５を用いることにより、現用無線伝送装置５１及び予備無線伝送装置５３を同一のアンテナを用いるように収容することができる。  
【００５３】
（実施の形態３）
続いて、図６を用いて本発明の実施の形態３にかかる通信システムの構成例について説明する。本図の通信システムは、無線伝送システム７０及びＬ２ＳＷ３１を有している。無線伝送システム７０は、現用無線伝送装置７１、予備無線伝送装置７２、現用無線伝送装置７３、予備無線伝送装置７４及びハイブリッド装置７５を有している。
【００５４】
現用無線伝送装置７１、予備無線伝送装置７２、現用無線伝送装置７３及び予備無線伝送装置７４は、Ｌ２ＳＷ３１と通信回線を介して接続されている。また、Ｌ２ＳＷ３１は、現用無線伝送装置７１、予備無線伝送装置７２、現用無線伝送装置７３及び予備無線伝送装置７４と接続されている４つの通信回線を、同一のリンクアグリゲーショングループに設定している。また、本図の無線伝送システム７０は、現用無線伝送装置を２つ、予備無線伝送装置を２つ有するように構成されているが、例えば、現用無線伝送装置を１つ、予備無線伝送装置を３つとしてもよい。無線伝送システム７０が有する現用無線伝送装置と、予備無線伝送装置の個数は、任意に変更することができる。
【００５５】
ハイブリッド装置７５は、図２のハイブリッド装置５５と同様に、対向する無線伝送システムとの間の無線回線を、現用無線伝送装置７１、予備無線伝送装置７２、現用無線伝送装置７３及び予備無線伝送装置７４が共用することができるように、無線回線とそれぞれの無線伝送装置とを接続する。例えば、ハイブリッド装置７５は、それぞれの無線伝送装置の送信部から出力されるデータを一つの無線回線へ出力し、対向する無線伝送システムから送信されたデータをコピーし、それぞれの無線伝送装置の受信部へ出力する。
【００５６】
続いて、図７を用いて本発明の実施の形態３にかかる現用無線伝送装置７１の構成例について説明する。現用無線伝送装置７１は、無線回線を介して、対向無線伝送装置９０と接続されている。なお、予備無線伝送装置７２、現用無線伝送装置７３及び予備無線伝送装置７４は、現用無線伝送装置７１と同様の構成であるため、予備無線伝送装置７２、現用無線伝送装置７３及び予備無線伝送装置７４に関して詳細な説明を省略する。
【００５７】
現用無線伝送装置７１は、リンクアグリゲーション通信部８１、無線通信部８２、障害検出部８３、通信制御部８４及び切替制御部８５を有している。リンクアグリゲーション通信部８１、無線通信部８２、障害検出部８３及び通信制御部８４は、図１のリンクアグリゲーション通信部１１、無線通信部１２、障害検出部１３及び通信制御部１４と同様であるため、詳細な説明を省略する。現用無線伝送装置７１は、図１の無線伝送装置１０と比較して、切替制御部８５を有する点において異なる。
【００５８】
障害検出部８３は、Ｌ２ＳＷ３１との間の通信回線もしくは対向無線伝送装置９０との間の無線回線の障害を検出した場合、切替制御部８５へ障害検出通知を出力する。
【００５９】
切替制御部８５は、障害検出通知を受け取ると、現用無線伝送装置７１を経由していたデータの迂回先となる予備無線伝送装置を決定する。迂回先の候補となる予備無線伝送装置は、予備無線伝送装置７２及び７４の２つあるとする。
【００６０】
切替制御部８５は、例えば、迂回先の候補となる複数の予備無線伝送装置が存在する場合、装置番号の小さい順に迂回先の候補となる予備無線伝送装置を選択してもよい。例えば、予備無線伝送装置７２及び７４がある場合、切替制御部８５は、はじめに、予備無線伝送装置７２を迂回先の候補として選択する。
【００６１】
もしくは、切替制御部８５は、迂回先の候補となる複数の予備無線伝送装置が存在する場合、データ転送能力に基づいて、予備無線伝送装置を選択してもよい。例えば、予備無線伝送装置７２が、予備無線伝送装置７４と比較して高性能のＣＰＵを搭載している等の場合、切替制御部８５は、予備無線伝送装置７２を迂回先の候補として選択してもよい。切替制御部８５は、以上説明した予備無線伝送装置の選択処理以外にも、異なる方法を用いて予備無線伝送装置を選択してもよい。
【００６２】
切替制御部８５は、選択した予備無線伝送装置が正常であることを確認することができた場合、通信制御部８４に対して予備無線伝送装置の正常性に関する確認が完了した旨を通知する。通信制御部８４は、切替制御部８５から予備無線伝送装置の正常性に関する確認が完了した旨の通知を受けると、リンクアグリゲーション通信部８１及び無線通信部８２を停止状態にして、現用無線伝送装置７１を経由するデータを選択された予備無線伝送装置へ迂回させる。
【００６３】
切替制御部８５は、はじめに選択した予備無線伝送装置について正常であることを確認することができなかった場合、他の予備無線伝送装置を選択して、正常性を確認してもよい。
【００６４】
もしくは、切替制御部８５は、定期的に予備無線伝送装置の正常性を確認し、障害検出部８３において障害を検出した場合、事前に正常に動作していると判定された予備無線伝送装置へデータを迂回させてもよい。
【００６５】
予備無線伝送装置７２が、迂回先の予備無線伝送装置として選択された場合、予備無線伝送装置７２は、Ｌ２ＳＷ３１及び対向無線伝送装置９０へ、現用無線伝送装置７１に対して送信していたデータを予備無線伝送装置７２へ送信するように通知してもよい。これによって、Ｌ２ＳＷ３１及び対向無線伝送装置９０におけるデータの送信先を変更することができる。
【００６６】
続いて、図８を用いて本発明の実施の形態３にかかる現用無線伝送装置７１の障害発生時における処理の流れについて説明する。
【００６７】
はじめに、障害検出部８３は、Ｌ２ＳＷ３１との間の通信回線もしくは対向無線伝送装置９０との間の無線回線のいずれかに障害が発生したことを検出する（Ｓ３１）。
【００６８】
次に、切替制御部８５は、データの迂回先候補として選択した予備無線伝送装置へ障害が発生したことを通知する（Ｓ３２）。ここでは、切替制御部８５は、予備無線伝送装置７２をデータの迂回先候補として選択したとする。
【００６９】
次に、切替制御部８５は、障害が発生したことを通知した予備無線伝送装置７２から、予備無線伝送装置７２が正常に動作していることを示す応答メッセージを予め定められた時間以内に受信したか否かを判定する（Ｓ３３）。
【００７０】
切替制御部８５は、予め定められた時間以内に、予備無線伝送装置７２から予備無線伝送装置７２が正常に動作していることを示す応答メッセージを受信した場合、通信制御部８４へ予備無線伝送装置７２が正常であることを通知する。通信制御部８４は、予備無線伝送装置７２が正常であることを通知されると、リンクアグリゲーション通信部８１及び無線通信部８２を停止状態にする（Ｓ３４）。
【００７１】
切替制御部８５は、予め定められた時間以内に、予備無線伝送装置７２から予備無線伝送装置７２が正常に動作いていることを示す応答メッセージを受信しなかった場合、もしくは、予備無線伝送装置７２が正常ではないことを示す応答メッセージを受信した場合、他の予備無線伝送装置を選択する。ここでは、切替制御部８５は、他の予備無線伝送装置として、予備無線伝送装置７４を選択する。切替制御部８５は、予備無線伝送装置７４へ、障害が発生したことを通知する（Ｓ３５）。その後、切替制御部８５は、ステップＳ３３以降の動作を繰り返す。
【００７２】
続いて、図９を用いて本発明の実施の形態３にかかる障害通知を受信した予備無線伝送装置の処理の流れについて説明する。はじめに、データの迂回先候補として選択された予備無線伝送装置７２は、現用無線伝送装置７１から現用無線伝送装置７１に障害が発生したことを示すメッセージ（障害通知）を受信する（Ｓ４１）。
【００７３】
次に、予備無線伝送装置７２は、自装置が正常か否かを判定する（Ｓ４２）。例えば、予備無線伝送装置７２は、無線の受信電力、通信装置との間のリンク状態の正常性もしくは装置の機器故障を確認し、さらに自装置のＣＰＵ使用率の値が正常な値を示しているか、制御部と通信部等との間において定期的に実施しているヘルスチェック等が正常に行えているか、等によって自装置が正常か否かを判定してもよい。もしくは、予備無線伝送装置７２は、通信ネットワーク上の監視サーバが、通信ネットワーク上の各装置を管理している場合、監視サーバに自装置が正常か否かを問い合わせてもよい。
【００７４】
次に、予備無線伝送装置７２は、自装置が正常であると判定した場合、現用無線伝送装置７１へ自装置が正常であることを示す応答メッセージを送信する（Ｓ４３）。次に、予備無線伝送装置７２は、現用装置として動作するために、リンクアグリゲーション通信部８１及び無線通信部８２を起動する（Ｓ４４）。
【００７５】
次に、予備無線伝送装置７２は、Ｌ２ＳＷ３１及び対向無線伝送装置９０へ、現用無線伝送装置７１を宛先として送信していたデータを予備無線伝送装置７２を宛先として送信するように通知する（Ｓ４５）。
【００７６】
ステップＳ４２において、予備無線伝送装置７２は、自装置が正常ではないと判定した場合、現用無線伝送装置７１へ、自装置が異常であることを示す応答メッセージを送信する（Ｓ４５）。
【００７７】
以上説明したように、本発明の実施の形態３にかかる現用無線伝送装置７１は、データの迂回先候補として複数の予備無線伝送装置が存在する場合、予備無線伝送装置の正常性を確認し、正常に動作している予備無線伝送装置へデータを迂回させるようにする。
【００７８】
予備無線伝送装置の正常性を確認し、正常に動作している予備無線伝送装置へデータを迂回させることにより、次のような効果を得られる。例えば、正常に動作していない予備無線伝送装置へデータを迂回させるように切り替えた場合、予備無線伝送装置においても障害を検出し、再度元の無線伝送装置へデータを迂回させるように切り替えられることが考えられる。このようにして、正常に動作していない予備無線伝送装置へデータを迂回させるように切り替えた場合、現用無線伝送装置及び予備無線伝送装置に障害が発生していることにより、切り替え及び切り戻しが頻繁に発生し、データロスの発生とともに、装置、装置を監視する監視ネットワーク及び監視サーバ等の処理負担も増加してしまう。
【００７９】
そのため、予備無線伝送装置の正常性を確認し、予備無線伝送装置が正常に動作していることを確認できた場合にのみ、その予備無線伝送装置へデータを迂回させることによって、上述した問題を回避することができる。
【００８０】
（実施の形態４）
続いて、図１０を用いて本発明の実施の形態４にかかる通信システムの構成例について説明する。図１０の通信システムは、図３と同様の構成である。但し、送信部６１と送信部６３との間において通信を行うことができるようにし、受信部６２と受信部６４との間において通信を行うことができるようにした点において、図３の構成と異なる。
【００８１】
図１０においては、現用無線伝送装置５１とＬ２ＳＷ３１との間の通信回線に通信障害が発生し、さらに、予備無線伝送装置５３の無線回線側に通信障害が発生していることを示している。このような場合、実施の形態１乃至３を用いた場合、データの迂回先となる予備無線伝送装置がなく、データを迂回させることができなくなる。
【００８２】
そこで、図１０に示すように、送信部６１と送信部６３との間において通信を行うことができるように通信回線を設定し、受信部６２と受信部６４との間においても通信を行うことができるように通信回線を設定する。このようにすることによって、図１０に示すような通信障害が発生した場合においても、送信部６１と送信部６３との間の通信回線及び受信部６２と受信部６４との間の通信回線を用いることによって、データ伝送を継続することができる。
【００８３】
なお、本発明は上記実施の形態に限られたものではなく、趣旨を逸脱しない範囲で適宜変更することが可能である。例えば、上記実施の形態は、Ｌ２ＳＷ３１と無線伝送装置システム５０との間は、光インタフェースであってもよく、電気インタフェースであってもよい。
【００８４】
以上、実施の形態を参照して本願発明を説明したが、本願発明は上記によって限定されるものではない。本願発明の構成や詳細には、発明のスコープ内で当業者が理解し得る様々な変更をすることができる。
【００８５】
この出願は、２０１３年２月１２日に出願された日本出願特願２０１３−２４３２３を基礎とする優先権を主張し、その開示の全てをここに取り込む。
【符号の説明】
【００８６】
１０  無線伝送装置
１１  リンクアグリゲーション通信部
１２  無線通信部
１３  障害検出部
１４  通信制御部
２０  無線伝送装置
３０  通信装置
３１  Ｌ２ＳＷ
５０  無線伝送装置システム
５１  現用無線伝送装置
５３  予備無線伝送装置
５５  ハイブリッド装置
６０  無線伝送装置システム
６１  送信部
６２  受信部
６３  送信部
６４  受信部
６５  送信用ＨＹＢ部
６６  受信用ＨＹＢ部
７０  無線伝送システム
７１  現用無線伝送装置
７２  予備無線伝送装置
７３  現用無線伝送装置
７４  予備無線伝送装置
７５  ハイブリッド装置
８１  リンクアグリゲーション通信部
８２  無線通信部
８３  障害検出部
８４  通信制御部
８５  切替制御部
９０  対向無線伝送装置
【図１】
2014125761.tif 000003
【図２】
2014125761.tif 000004
【図３】
2014125761.tif 000005
【図４】
2014125761.tif 000006
【図５】
2014125761.tif 000007
【図６】
2014125761.tif 000008
【図７】
2014125761.tif 000009
【図８】
2014125761.tif 000010
【図９】
2014125761.tif 000011
【図１０】
2014125761.tif 000012
【手続補正書】
【提出日】平成28年8月24日(2016.8.24)
【手続補正１】
【補正対象書類名】特許請求の範囲
【補正対象項目名】全文
【補正方法】変更
【補正の内容】
【特許請求の範囲】
【請求項１】
対向する無線伝送装置と、対向する通信装置と、の間の中継動作を行う無線伝送装置であって、
無線回線を介して前記対向する無線伝送装置と通信を行う無線通信手段と、
前記対向する通信装置において設定されたリンクアグリゲーショングループに属する複数の通信回線のうち第１の通信回線を介して前記通信装置と通信を行うリンクアグリゲーション通信手段と、
前記無線回線及び前記第１の通信回線のうち少なくとも一方に発生した通信障害を検出する障害検出手段と、
前記障害検出手段によって通信障害が検出された場合に、前記無線回線及び前記第１の通信回線を介した通信を停止させる通信制御手段と、を備える無線伝送装置。
【請求項２】
前記障害検出手段は、
前記無線回線を介して受信した信号の受信電力が予め定められた閾値を超えているか否かに応じて前記通信障害を検出する、請求項１に記載の無線伝送装置。
【請求項３】
前記障害検出手段は、
前記第１の通信回線のリンク状態及び前記対向する通信装置との間に伝送される正常性確認用データの少なくとも一方に応じて前記通信障害を検出する、請求項１又は２に記載の無線伝送装置。
【請求項４】
前記障害検出手段において前記通信障害が検出された場合に、予備用無線伝送装置から現用無線伝送装置に切り替えられる切替対象無線伝送装置へ通信障害を検出したことを通知する切替制御手段、をさらに備える請求項１乃至３のいずれか１項に記載の無線伝送装置。
【請求項５】
前記切替制御手段は、
前記切替対象無線伝送装置が正常に動作している場合に、前記切替対象無線伝送装置へ前記通信障害を検出したことを通知する、請求項４に記載の無線伝送装置。
【請求項６】
予備用無線伝送装置として動作している場合に、
前記通信制御手段は、
前記対向する通信装置から前記リンクアグリゲーション通信手段へ主信号が送信されると、前記無線通信手段を起動する、請求項１乃至３のいずれか１項に記載の無線伝送装置。
【請求項７】
第１の無線伝送装置と、
無線回線を介して対向する前記第１の無線伝送装置と通信する第２の無線伝送装置と、
複数の通信回線を用いてリンクアグリゲーショングループを設定し、前記複数の通信回線に含まれる第１の通信回線を介して前記第１の無線伝送装置と通信する通信装置と、を備え、
前記第１の無線伝送装置は、
対向する前記第２の無線伝送装置と、対向する前記通信装置と、の間の中継動作を行い、
前記無線回線及び前記第１の通信回線のうち少なくとも一方に発生した通信障害を検出し、前記通信障害を検出した場合に、前記無線回線及び前記第１の通信回線を介した通信を停止する、通信システム。
【請求項８】
前記第１の無線伝送装置は、
前記無線回線を介して受信した信号の受信電力が予め定められた閾値を超えているか否かに応じて前記通信障害を検出する、請求項７に記載の通信システム。
【請求項９】
前記第１の無線伝送装置は、
前記第１の通信回線のリンク状態及び前記対向する通信装置との間に伝送される正常性確認用データの少なくとも一方に応じて前記通信障害を検出する、請求項７又は８に記載の通信システム。
【請求項１０】
前記第１の無線伝送装置は、
前記通信障害を検出した場合、予備用無線伝送装置から現用無線伝送装置に切り替えられる切替対象無線伝送装置へ通信障害を検出したことを通知する、請求項７乃至９のいずれか１項に記載の通信システム。
【請求項１１】
前記第１の無線伝送装置は、
前記切替対象無線伝送装置が正常に動作している場合に、前記切替対象無線伝送装置へ前記通信障害を検出したことを通知する、請求項１０に記載の通信システム。
【請求項１２】
前記第１の無線伝送装置が予備用無線伝送装置として動作している場合に、
前記第１の無線伝送装置は、
前記通信装置から主信号が送信されると、前記第２の無線伝送装置と無線回線を介して無線通信を行う無線通信手段を起動する、請求項７乃至９のいずれか１項に記載の通信システム。
【請求項１３】
対向する無線伝送装置と、対向する通信装置と、の間の中継動作を行う無線伝送装置において実行される通信障害制御方法であって、
無線回線を介して前記対向する無線伝送装置と通信を行う無線通信手段と、前記対向する通信装置において設定されたリンクアグリゲーショングループに属する複数の通信回線のうち第１の通信回線を介して前記通信装置と通信を行うリンクアグリゲーション通信手段のうち少なくとも一方に発生した通信障害を検出し、
前記通信障害が検出された場合に、通信制御手段を用いて前記無線回線及び前記第１の通信回線を介した通信を停止させる、通信障害制御方法。
【国際調査報告】
2014125761.tif 000013
2014125761.tif 000014